(57)【特許請求の範囲】
【請求項１】
下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着されてなる磁気テープカートリッジにおいて、
前記リーダピンの両端部を着脱可能にケースに固定保持する板バネによるロック部材を有し、該ロック部材は、前記下ケース及び上ケースに保持される板状の取付部と、該取付部のリーダピン側の縁部の上下両端部に、該取付部から内角が鈍角に屈曲してリーダピンの方向に延び、先端係止部がリーダピンに当接可能な弾性腕部とを備えてなることを特徴とする磁気テープカートリッジ。
【請求項２】
下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着されてなる磁気テープカートリッジにおいて、
前記リーダピンの両端部を着脱可能にケースに固定保持する板バネによるロック部材を有し、該ロック部材は、前記下ケース及び上ケースに保持される板状の取付部と、該取付部のリーダピン側の縁部の上下両端部に、該取付部から内角が鈍角に屈曲してリーダピンの方向に延び、先端係止部がリーダピンに当接可能な弾性腕部とを備え、
前記カートリッジケースには前記ロック部材を保持するバネ装着部を設け、該バネ装着部は、下ケース及び上ケースの側壁と一体に平板状に突出形成された第1支持部と、該第1支持部に対向して底壁から突設され前記第1支持部との間に前記ロック部材の取付部を保持する隙間を形成してなる第２支持部とからなることを特徴とする磁気テープカートリッジ。
【請求項３】
前記ロック部材は、取付部の上下端部に、前記バネ装着部に設けられた突起に嵌合して位置決め保持される係合凹部が設けられたことを特徴とする請求項２に記載の磁気テープカートリッジ。
【請求項４】
前記カートリッジケースのバネ装着部には、ロック部材の取付部における弾性腕部と反対側の端部を直立状態に保持する倒れ規制部が設けられたことを特徴とする請求項２に記載の磁気テープカートリッジ。
【発明の詳細な説明】
【０００１】
【発明の属する技術分野】
本発明は、カートリッジケース内に磁気テープが巻装された単一のリールを回転可能に収容し、この磁気テープの先端に該磁気テープを引き出すためのリーダピンを固着してなる磁気テープカートリッジに関し、特に、上記リーダピンを着脱可能に保持するロック部材とその取付構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダピン）が固着され、このリーダ部材をコンピュータ側で引き出して巻き取り又は巻き戻しを行うようにドライブ装置が構成される。そして、上記リーダ部材は、カートリッジケースに着脱可能に保持されるものであり、その保持にはバネ部材を使用するのが構造上の簡素化等の点で有利である。
【０００４】
【発明が解決しようとする課題】
しかして、前記リーダピンの上下両端に当接する上下の保持部分を一体としたロック部材を設けると、上下ケースへの組み付け性が高められるが、このロック部材を板バネのプレス加工による打ち抜き及び曲げ加工で形成する際に、ロック部材の形態によっては加工精度が低くなり、リーダピンの係止力がばらつく問題を有する。
【０００５】
具体的には、図１２及び図１３に示すような形態の板バネをプレス加工したロック部材が考えられている。図１２において、磁気テープ６の先端に固着されたリーダピン５は、カートリッジケース４における下ケース３（上ケースでも同様）の側面に開口された開口部１０から出し入れされ、この開口部１０の内方の上下壁面にはリーダピン５の端部が挿入係止される凹状の格納部２０が設けられ、この格納部２０から開口部１０に向けてテーパー状の挿入案内部２１が設けられている。そして、上記リーダピン５を前記格納部２０に着脱可能に保持するロック部材５０は図１３のように上下対称で、平面が略Ｕ字形状であり、板状の取付部５０ａがケース側壁３ｂに沿って下ケース３の底面に立設された取付ボス５１によって側壁３ｂとの間に挟持される。上記取付部５０ａの後端から前方に湾曲した上下端部には開口部１０に向けて伸びる弾性腕部５０ｂが連設され、この弾性腕部５０ｂの先端にそれぞれ係止部５０ｃが設けられ、該係止部５０ｃがリーダピン５の両端部に当接する。上記係止部５０ｃはリーダピン５側に突出する山形に設けられ、先端側の斜面で開口部１０から挿入移動するリーダピン５に接触して撓み変形し、内部側の斜面でリーダピン５を格納部２０内に押圧保持するようになっている。
【０００６】
上記のようなロック部材５０は、板バネのプレス加工による深いＵ字曲げのため、取付部５０ａと弾性腕部５０ｂとのなす角度α（図１３参照）の加工精度が上げられず、リーダピン５を押圧保持する際の変形量が異なりリーダピン係止力にばらつきが発生しやすい。また、上記のように深いＵ字形にプレス加工するには、複数回のプレス加工を要し工程が多くなると共に、弾性腕部５０ｂの長さが大きくなって展開面積も大きく板バネ素材を打ち抜き形成した時の廃棄材料が多くコスト面で不利となる。さらに、ロック部材５０がＵ字状に湾曲していることで、このロック部材５０を多数集積した際に相互に重なって係合し、単体に分離しにくくパーツフィーダによる連続供給が困難となる恐れがある。
【０００７】
一方、前記ロック部材５０のカートリッジケース４への取付構造において、ロック部材５０の板状取付部５０ａをケース側壁３ｂに沿わせ、この側壁３ｂとバネ板厚に相当する隙間を残して形成した取付ボス５１との間に挟持するものでは、適正なリーダピン係止力を得るためにロック部材５０の板厚を薄くした際には、取付ボス５１と側壁３ｂとの隙間を成形するための金型部分の厚みが非常に薄くなり、成型時の樹脂射出圧力で破損する恐れがあり、また、金型の加工も困難である。特に、前記取付ボス５１を高く又は側壁３ｂに沿って長く形成する場合には、上記現象が顕著となる。
【０００８】
さらに、前記板状のロック部材５０をカートリッジケース４に組み付ける場合に、その固定構造によっては、下ケース３にロック部材５０をセットし、上ケースを重ね合わせて閉じる際に、前記ロック部材５０が傾いて上ケースの取付ボス５１に係合できずに、取付ボス５１の端面に当接して上ケースが閉じられない恐れがある。特に、前記リーダピン５の周辺には、ドライブ側の取り出し機構が開口部１０から進入してリーダピン５を保持するためのスペースを必要とし、前記取付ボス５１は上記取り出し機構と干渉しないように高さが低く、また、前記成形の金型強度上からも高くできず、前述のような倒れによる問題を生起する恐れがある。
【０００９】
本発明は上記点に鑑みなされたもので、リーダピンを着脱可能に保持するバネ部材の加工精度、取付性等を改善し、良好なリーダピンの保持機能が得られるようにした磁気テープカートリッジを提供せんとするものである。
【００１０】
【課題を解決するための手段】
上記課題を解決した本発明の磁気テープカートリッジは、下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着され、このリーダピンの両端部を着脱可能にケースに固定保持する板バネによるロック部材を有し、該ロック部材は、前記下ケース及び上ケースに保持される板状の取付部と、該取付部のリーダピン側の縁部の上下両端部に、該取付部から内角が鈍角に屈曲してリーダピンの方向に延び、先端係止部がリーダピンに当接可能な弾性腕部とを備えてなることを特徴とするものである。
【００１２】
また、本発明の他の磁気テープカートリッジは、リーダピンの両端部を着脱可能にケースに固定保持する板バネによるロック部材を有し、該ロック部材は、前記下ケース及び上ケースに保持される板状の取付部と、該取付部のリーダピン側の縁部の上下両端部に、該取付部から内角が鈍角に屈曲してリーダピンの方向に延び、先端係止部がリーダピンの両端部に当接可能な弾性腕部とを備え、前記カートリッジケースには前記ロック部材を保持するバネ装着部を設け、該バネ装着部は、下ケース及び上ケースの側壁と一体に平板状に突出形成された第1支持部と、該第1支持部に対向して底壁から突設され前記第1支持部との間に前記ロック部材の取付部を保持する隙間を形成してなる第２支持部とからなることを特徴とするものである。
【００１３】
その際、前記ロック部材は、取付部の上下端部に、前記バネ装着部に設けられた突起に嵌合して位置決め保持される係合凹部を有し、取付部の前後方向の位置決めも行うのが好ましい。
【００１４】
また、前記カートリッジケースのバネ装着部には、ロック部材を前記突起に向けて案内する斜面を設けるのが好適である。さらに、前記ロック部材には、係合凹部の挿入角部に案内部を設け、バネ装着部との係合の容易化を図るのが好ましい。
【００１５】
一方、前記カートリッジケースのバネ装着部には、ロック部材の取付部における弾性腕部と反対側の端部を直立状態に保持する倒れ規制部を設け、ロック部材の倒れを防止するのが好ましい。
【００１６】
なお、前記のようなロック部材をカートリッジケースに組み付けるにおいては、上下ケースの締結を行うビスの締め付けを、上ケースの上面に開口したビス穴から行い、下ケースにロック部材をセットし、上ケースを重ね合わせた後、カートリッジケースの上下反転を行うことなく組み立てるように構成して、作業性を改善するようにしてもよい。
【００１７】
【発明の効果】
上記のような本発明の磁気テープカートリッジによれば、板状の取付部のリーダピン側の上下両端部から屈曲してリーダピンの方向に延び先端係止部がリーダピンに当接可能な弾性腕部を設けた、板バネによるロック部材の取付部と弾性腕部とがなす内角を鈍角としたことにより、深い湾曲のプレス加工を不要として加工精度が向上し、リーダピンを押圧保持する際の変形量が一定となりリーダピン係止力が安定して得られると共に、プレス加工が容易で工程の簡素化が図れ、しかも弾性腕部の長さが小さくなって展開面積も小さくコスト面で有利となる。さらに、ロック部材を多数集積しても相互に係合し難く、パーツフィーダによる連続供給が可能となる。
【００１８】
また、本発明の他の磁気テープカートリッジによれば、板状の取付部と該取付部の上下両端部にリーダピンの方向に屈曲して延びる弾性腕部とを備えた板バネによるロック部材をカートリッジケースに保持するバネ装着部を、上記ロック部材を下ケース及び上ケースの側壁から内側に離れた位置に保持することにより、ロック部材の板厚を薄くした際にも、カートリッジケースの壁面を成形する金型の部分が薄くならず、金型の加工が容易で破損が防止できる。
【００１９】
前記ロック部材の取付部の上下端部に、バネ装着部の突起に嵌合する係合凹部を設けると、このロック部材の前後方向の位置決めも同時に行ってリーダピンとの位置精度が高まる。
【００２０】
さらに、前記カートリッジケースのバネ装着部に、ロック部材の端部を直立状態に保持する倒れ規制部を設けると、例えば、下ケースにロック部材をセットし、上ケースを重ね合わせて閉じる際のロック部材の倒れを、ドライブ側の取り出し機構のためのスペースを確保しつつ防止でき、良好な組み付け性を確保できる。
【００２１】
その際、上ケースの上面にビス穴を開口させ、カートリッジケースの上下反転を行うことなく組み立てるように設けると、さらに組み付け性が向上する。
【００２２】
【発明の実施の形態】
以下、図面に示す実施の形態に基づいて本発明を詳細に説明する。図１は一つの実施の形態の磁気テープカートリッジの分解斜視図、図２はスライドドアが開いた状態の開口部近傍の正面図、図３は図２のＡ−Ａ断面平面図である。また、図４はロック部材の斜視図、図５及び図６は図３のＢ−Ｂ及びＣ−Ｃ線に沿うバネ装着部の断面図である。
【００２３】
磁気テープカートリッジ１は、上ケース２と下ケース３とがビス等により締結されてなるカートリッジケース４内に、先端にリーダピン５が固着された磁気テープ６を巻装した単一のリール７が回動可能に収容される。上記上下ケース２，３の一側壁には、磁気テープ６を引き出すための開口部１０が形成され、この開口部１０は図示しない弾性手段で閉方向に付勢されたスライドドア１１により開閉され、開口部１０近傍には上記スライドドア１１が摺動する溝状のドアレール１２（図３参照）が形成される。
【００２４】
また、磁気テープカートリッジ１はその不使用時に磁気テープ６が完全にリール７に巻き込まれた状態で、先端のリーダピン５が開口部１０の近傍に形成された凹状の格納部２０に係止される。この格納部２０には開口部１０に向けて誘い込み構造に形成された挿入案内部２１（ガイド面）が連設され、奥部の格納部２０に向けてリーダピン５の端部を案内する。
【００２５】
前記リーダピン５は、磁気テープカートリッジ１を使用する記録再生装置のドライブ装置が磁気テープ６を装置内のテープ走行路に導入するために保持して引き込むものであり、また、上記リーダピン５を前記格納部２０に着脱可能に保持する板バネによるロック部材９が設置されている。
【００２６】
リーダピン５は図２及び図３に示すように、磁気テープ６の先端部を巻き付けて断面Ｃ形のクランプ部材５ｅの嵌着によりクランプする軸状のテープクランク部５ａを中央に有し、このテープクランプ部５ａの上下両側に板状の上下フランジ部５ｂ，５ｂが連設され、さらに上下フランジ部５ｂの上下に記録再生装置側から係合保持される細い係合部５ｃ，５ｃがそれぞれ軸方向に延びて形成され、両端にはケース固定用の固定部５ｄ，５ｄが形成されてなる。このリーダピン５は例えば金属棒（ステンレス鋼等）の削り出しによって形成され、そのテープクランプ部５ａは長さが磁気テープ６の幅に設けられている。
【００２７】
前記クランプ部材５ｅは樹脂成形品であり、前記リーダピン５のテープクランプ部５ａの長さに相当する軸方向長さを有し、その全長に渡って軸方向に延びるスリットが開口された断面Ｃ形に形成され、テープクランプ部５ａの外周に弾性的に嵌着可能に設けられている。
【００２８】
なお、図１において、上下ケース２，３は略矩形状に形成され、上壁２ａ及び底壁３ａの周囲に側壁２ｂ，３ｂが設けられ、内部にはリール７の外周に沿う円弧状の内壁３ｃ（上ケース２については図示せず）が設けられている。下ケース３は前記側壁３ｂと内壁３ｃとの間に配設された４カ所のボス部３ｄ（開口部１０近傍のボス部はスライドドア１１で隠れている）を上ケース２の不図示のボス部と当接させて、底面からビスを締め付けて重ね合わせ状態で締結される。なお、上記ボス部３ｄに対するビスの締め付けは、後述のように上面から行うようにしてもよい。
【００２９】
また、前記下ケース３の中心部にはドライブ装置の駆動軸によって前記リール７を回転駆動するためのセンター穴３ｅが開口され、カートリッジケース４の後端部には書き込み防止用のライトプロテクタ部材１３が摺動可能に配設される。前記リール７の中心部には、不使用状態におけるリール７の回転を拘束する回転規制機構１５が設けられる。
【００３０】
その他、図示していないが、リール７の底面には中央部にマグネット式の回転駆動手段を吸引保持させるためのリールプレートが取り付けられ、外周部には回転駆動手段のドライブギヤと噛合するリールギヤが刻設されている。なお、リールギヤとドライブギヤが噛合した状態においては前記回転規制機構１５が解除作動してリール７が回転自在とされる。
【００３１】
ここで前記リーダピン５を前記格納部２０に着脱可能に保持するロック部材９及びその取付構造を説明する。
【００３２】
前記ロック部材９は上下一体であり、略矩形状の板状の取付部９ａが、前記上ケース２及び下ケース３の重ね合わせで、ケース側壁２ｂ，３ｂの近傍に設けられたバネ装着部３０（上ケース２については図示していないが下ケース３と対称同形状である）に係合されて保持される。上記取付部９ａのリーダピン５側の縁部の上下両端部に、リーダピン５の方向に前記取付部９ａから屈曲して延びる弾性腕部９ｂが連接され、この弾性腕部９ｂの先端係止部９ｃがリーダピン５の固定部５ｄの外周に当接する。該先端係止部９ｃは、リーダピン５側に突出する山形に設けられ、先端側の斜面で開口部１０から挿入移動するリーダピン５に接触して弾性腕部９ｂが撓み変形し、内部側の斜面でリーダピン５を格納部２０内に押圧保持するようになっている。また、前記取付部９ａの上下端部には係合凹部９ｄが設けられている。
【００３３】
そして、前記取付部９ａと屈曲した弾性腕部９ｂとがなす内角β（図４参照）が、鈍角、好ましくは１３５゜以上に形成されている。なお、前記ロック部材９は、弾性腕部９ｂの長さ等に関係して、適正なリーダピン係止力を得るためにロック部材９の板厚が０．２mm〜０．３mmと薄くなっている。なお、図１３に示すロック部材５０では、板厚は０．４mm程度である。また、上下の弾性腕部９ｂ，９ｂは、根元部分で上下連結するように設けてもよい。
【００３４】
前記のようなロック部材９を保持する上下ケース２，３のバネ装着部３０は、ロック部材９を上下ケース２，３の側壁２ｂ、３ｂから離れた位置、好ましくは金型強度の点から０．４mm以上離れて保持するように設けられている。
【００３５】
上記バネ装着部３０は、下ケース３の側壁３ｂと一体に成形され側壁３ｂから平板状に突設された第１支持部３１と、これに対向して底壁３ａから突設された第２支持部３２とを備えている。上記第１支持部３１の突出量が前記保持位置寸法に設定され、第１支持部３１と第２支持部３２との隙間が前記ロック部材９の取付部９ａの板厚又はこれ以上に形成され、この隙間に取付部９ａが挿入される。
【００３６】
前記第２支持部３２の幅は、第１支持部３１の幅より小さく、高さは高く形成されている。さらに、上記第１支持部３１及び第２支持部３２の上面は、両者間の隙間に向けて低くなるような斜面３１ａ，３２ａ（図５参照）に形成され、ロック部材９の端部を隙間に案内するようになっている。
【００３７】
また、上記第１支持部３１と第２支持部３２との間には底壁３ａから突出する突起３３（図６参照）が形成され、この突起３３の前後方向幅は第２の支持部３２の幅より小さく、該突起３３の前後両側にロック部材９が挿入される隙間が形成されると共に、前記ロック部材９の取付部９ａの上下端部に形成された係合凹部９ｄの幅に相当して形成され、この係合凹部９ｄと嵌合可能である。また、上記突起３３の上端両側は斜面３３ａに形成され、さらに、ロック部材９の係合凹部９ｄの両側角部も斜めに除去されて案内部９ｅが形成され、両者の係合を案内する。
【００３８】
上記のような取付構造により、下ケース３のバネ装着部３０の第１支持部３１と第２支持部３２との間に、図５及び図６に示すように、ロック部材９の取付部９ａをその下端部の係合凹部９ｄが前記突起３３に係合するように、各斜面３１ａ，３２ａ，３３ａ及び案内部９ｅで案内しつつ挿入装着する。そして、下ケース３内にリール７等の他の部品をも組み付けた後に、この下ケース３上に上ケース２を重ね合わせ、この上ケース２のバネ装着部３０にロック部材９の取付部９ａの上端を係合させ、上下ケース２，３を閉じた状態でビスを締め付けて組み立てるものである。
【００３９】
その際、前記ロック部材９は、上下ケース２，３のバネ装着部３０の挟持によって上下方向の位置決めが行われると共に、前記突起３３と係合凹部９ｄの係合によって、前後方向の位置決めも行われ、先端係止部９ｅとリーダピン５との当接位置を確保する。
【００４０】
なお、前記バネ装着部３０の第１支持部３１は、図７に示すように不連続の分割構造に設けてもよく、このようにすると金型強度の点で有利となる。
【００４１】
次に、図８及び図９は他の実施の形態を示し、ロック部材９は前例と同様に形成され、バネ装着部３０の形態が異なっている。
【００４２】
すなわち、下ケース３のバネ装着部３０は、前記と同様の第１支持部３１、第２支持部３２及び突起３３が形成されると共に、第１支持部３１の奥部側の端部には、ロック部材９の取付部９ａにおける弾性腕部９ｂと反対側の端部を直立状態に保持する倒れ規制部３４が設けられている。上ケース２のバネ装着部３０には、前記と同様の第１支持部３１、第２支持部３２及び突起３３が形成され、倒れ規制部３４は形成されていない。
【００４３】
前記倒れ規制部３４は、上下方向にリブ状に延びて前記第１支持部３１及び第２支持部３２より高く形成され、その内面が第１支持部３１に対向してロック部材９の板厚に相当する間隙を形成するように上方に延び、ロック部材９を垂直状態に保持する。なお、この倒れ規制部３４の上端部には傾斜案内部３４ａが形成されている。
【００４４】
本実施形態では、下ケース３のバネ装着部３０にロック部材９をセットした際に、このロック部材９の倒れ、特にケース内側への倒れを倒れ規制部３４によって規制し、上ケース２を重ね合わせる際の、上ケース２のバネ装着部３０へのロック部材９の係合を確実に行って、作業性を高めている。
【００４５】
図１０及び図１１には、上記実施の形態の他の態様を示し、前記図８及び図９におけるバネ装着部３０の第１支持部３１を不連続の分割構造に設けている。特に下ケース３の第１支持部３１は、倒れ規制部３４から離れた位置に設けている。このような構造では、成型時の金型強度を確保する点で有利となる。
【００４６】
なお、上記の説明では下ケース３を上向きに載置して、これにロック部材９の下端部をセットしてから上ケース２を重ねる合わせるようにしているが、逆に、上ケース２を上向きに載置してロック部材９をセットし、下ケース３を重ね合わせるようにしてもよい。この場合には、前記倒れ規制部３４は上ケース２に設ける必要がある。
【００４７】
また、下ケース３の下面にビス穴が形成されたものでは、前述のように下ケース３を上向きに載置してロック部材９をセットする場合には、上ケース２を重ね合わせた後、カートリッジケース４の上下反転を行ってビスの締め付けをすることになるが、上ケース２の上面にビス穴を設けると、カートリッジケース４の上下反転を行うことなくそのままビスの締め付けが行え、作業工程が簡素化できることになり、組み付け工程に対応してビス穴の配設を行うのが好ましい。
【図面の簡単な説明】
【図１】本発明の一つの実施の形態による磁気テープカートリッジの分解斜視図
【図２】スライドドアが開いた状態の開口部近傍の正面図
【図３】図２のＡ−Ａ断面平面図
【図４】ロック部材の斜視図
【図５】図３のＢ−Ｂ線に沿うバネ装着部の断面図
【図６】図３のＣ−Ｃ線に沿うバネ装着部の断面図
【図７】図６の実施の形態の他の態様を示すバネ装着部の断面図
【図８】他の実施の形態による磁気テープカートリッジの上ケースを除去した状態の開口部近傍の平面図
【図９】図８のロック部材の取付状態の要部斜視図
【図１０】図８の実施の形態の他の態様を示す磁気テープカートリッジの上ケースを除去した状態の開口部近傍の平面図
【図１１】図１０のロック部材の取付状態の要部斜視図
【図１２】従来の実施の形態による磁気テープカートリッジの上ケースを除去した状態の開口部近傍の平面図
【図１３】図１２のロック部材の斜視図
【符号の説明】
１    磁気テープカートリッジ
２    上ケース
３    下ケース
2b,3b   側壁
４    カートリッジケース
５    リーダピン
６    磁気テープ
７    リール
９    ロック部材
9a    取付部
9b    弾性腕部
9c    先端係止部
9d    係合凹部
9e    案内部
β    内角
10    開口部
20    格納部
30    バネ装着部
31    第１支持部
32    第２支持部
33    突起
34    倒れ規制部
31a,32a,33a     斜面
34a     案内部
【図１】
0004108860.tif 000002
【図２】
0004108860.tif 000003
【図３】
0004108860.tif 000004
【図４】
0004108860.tif 000005
【図５】
0004108860.tif 000006
【図６】
0004108860.tif 000007
【図７】
0004108860.tif 000008
【図８】
0004108860.tif 000009
【図９】
0004108860.tif 000010
【図１０】
0004108860.tif 000011
【図１１】
0004108860.tif 000012
【図１２】
0004108860.tif 000013
【図１３】
0004108860.tif 000014